(57)【特許請求の範囲】
【請求項１】
道路標識、カーブミラー、防護柵、街路灯等の支柱を設置するため、地面に埋設して用いる支柱立設用コンクリートブロックであって、
プレキャストコンクリートブロックからなるブロック本体と、
当該ブロック本体の上面から突出して設けられ、支柱下端の設けられたトッププレートに挿通される、少なくとも２本以上のアンカーボルトと、
前記ブロック本体の略中央に相当する位置に、当該アンカーボルトよりも低い突出寸法をなす傾斜調整凸部と、
前記ブロック本体の少なくとも上端部に設けられ、少なくとも前記アンカーボルト及び調整凸部を囲繞するプレート枠とを有し、
前記傾斜調整凸部は、ブロック本体の上面に形成される金属製のベースプレートに形成されたドームであることを特徴とする支柱立設用コンクリートブロック。
【請求項２】
請求項１に記載された支柱立設用コンクリートブロックにおいて、
ブロック本体は、オーガースクリューを用いて地面に穿設した円形孔内に進入させて埋設すべく、前記円形孔の内径よりも小径の円柱形状からなることを特徴とする支柱立設用コンクリートブロック。
【発明の詳細な説明】
【技術分野】
【０００１】
本発明は、主として道路脇に設置される道路標識、カーブミラー、防護柵又は街路灯等の支柱の設置に際し、ブロック本体が地中に傾斜して固定された場合であっても、支柱を固定する面を水平に調整可能なプレキャスト型のコンクリートブロックに関するものである。
【０００２】
地面に対し道路標識等の「支柱」を設置する技術に関しては、特許文献１に記載の発明が従来提案されている。この特許文献１に記載の発明は、ブロック本体の上面に支柱を挿入するための支柱固定用孔が形成されてなり、当該ブロック本体を地中に埋設した後、前記固定用孔に対し支柱を挿入することにより当該支柱を立設するものである。係る発明によれば、基礎となるブロックがプレキャストコンクリート製であるため、現場における養生期間が不要となり、短い工期で支柱を安定的に設置できる点で、極めて有効な技術であるといえる。
【０００３】
しかしながら、上記の如き支柱は、地面に対して垂直に立設する必要がある。この点、上記特許文献１に記載の発明により該支柱を支柱固定用孔内に固定する際にあっては、少なくとも２方向から角度を計測して垂直を割り出し、しかる後、速やかに支柱と支柱固定用孔との隙間に砂やモルタルを流し込んで、当該支柱の垂直状態を維持する必要がある。なお、支柱を垂直に立設しなければならないのは平坦な場所だけではなく、勾配の急な坂道であっても事情は同じである。このような施工環境にあっては、高度に熟練した技術が要求されるため、施工コストにも影響するという問題が生じる。
【０００４】
【特許文献１】実開平７−３５５４１号公報（図１，図３）
【特許文献２】特許第３４９７１５５号公報（図３）
【発明の開示】
【発明が解決しようとする課題】
【０００５】
本発明は、以上の問題点に鑑みて案出されたものであり、道路標識、カーブミラー、防護柵又は街路灯等の支柱の設置に際し、施工時の省力化を図ることができ、工期短縮及び施工コストの低廉化を実現できるとともに、支柱立設用コンクリートブロック設置後において、支柱立設用コンクリートブロックが傾いて設置された場合であっても、容易に支柱を垂直に設置することができ、しかも支柱を設置した後においても支柱の垂直を微調整することができる支柱立設用コンクリートブロックを安価に提供することを目的とするものである。
【課題を解決するための手段】
【０００６】
以上のような課題を解決するために、本発明が採った手段は以下の通りである。
【０００７】
本発明に係る支柱立設用コンクリートブロック１００は、道路標識、カーブミラー、防護柵、街路灯等の支柱３０を設置するため、地面に埋設して用いる支柱立設用コンクリートブロック１００であって、プレキャストコンクリートからなるブロック本体１０と、当該ブロック本体１０の上面から突出して設けられ、支柱下端に設けられたトッププレート２０に挿通される、少なくとも２以上のアンカーボルト３０と、前記ブロック本体１０の略中央に相当する位置に、当該アンカーボルトよりも低い突出寸法をなす傾斜調整凸部４０と、前記ブロック本体１０の少なくとも上端部に設けられ、アンカーボルト３０及び傾斜調整凸部４０を囲繞するプレート枠５０と、を有し、傾斜調整凸部４０は、アンカーボルト３０に保持され、ブロック本体１０の上面に形成される金属製のベースプレート２０に形成されたドームであることを特徴とするものである。
【０００８】
次に請求項２に係る発明は、請求項１に記載した支柱立設用コンクリートブロック１００において、ブロック本体１０は、オーガースクリューを用いて地面に穿設した円形孔内に進入させて埋設すべく、前記円形孔の内径よりも小径の円柱形状からなることを特徴とするものである。
【０００９】
支柱立設用コンクリートブロックにおいて、傾斜調整凸部４０は、ブロック本体１０上面から突出させた金属棒からなるようにしてもよい。
【００１０】
支柱立設用コンクリートブロック１００において、傾斜調整凸部４０は、ブロック本体１０上面から突出させた金属棒からなるようにしてもよい。
【００１１】
（削除）
【発明の効果】
【００１２】
上記手段を採ったことにより得られる効果は以下の通りである。
【００１３】
まず請求項１に係る発明の支柱立設用コンクリートブロック１００は、ショベル等を用いて地面に穿設した孔内に進入・埋設させて用いるものである。即ち、当該ブロック１００を埋設するに際しては、ブロック１００の断面において多角形の場合には最も長い対角線、円形である場合には直径より僅かに大径のスクリュー幅で必要最小限の土を掘り起こせばよい。そのため、当該ブロック１００を埋設する際、地面を大きく掘り起こす必要がないので、容易且つ迅速に設置することができ、ひいては、工期短縮及び施工コストの低廉化に資することとなる。
【００１４】
また、本請求項に係る発明の支柱立設用コンクリートブロック１００は、基礎の設置に際して、支柱立設用コンクリートブロック１００が傾きに応じて、支柱に設けられたトッププレート６０の角度を傾斜調整凸部４０上で自在に調整することができる。よって、支柱を支持する台としてのトッププレート６０を常に水平に調整でき、結果として支柱を常に垂直に立設することができる。また、支柱を立設した後においても、トッププレート６０を固定しているナットによって、支柱の垂直性を微妙に調整することができる。したがって、支柱立設用コンクリートブロック１００を地中内に多少傾斜して設置することができるので、従来最も困難であり、煩雑であったブロック本体を垂直に維持するという作業を簡略化もしくは省略することができる。
【００１５】
更に、ブロック本体上面の周囲をプレート枠５０で囲繞してある。係る構成を採ることにより、当該プレート枠５０内に生コンクリートを打設して少なくとも、トッププレート６０、アンカーボルトの一部をコンクリートで固定することができる。また、プレート枠５０を比較的高く設け、トッププレート６０、アンカーボルト３０及びこれに設けられた支柱すべても生コンクリートで打設することによって、支柱をより確実に固定することができることに加え、このコンクリートの打設によって、アンカーボルト３０、トッププレート６０、ベースプレート２０をコンクリート内部に埋設することができるので、これらが金属部品で作製されている場合であっても、腐食を防止することが可能となる。
【００１６】
また本請求項２に係る発明のブロック１００は、そのブロック本体１０が、オーガースクリュー２００を用いて地面に穿設した円形孔の内径寸法よりも小さい直径寸法の円柱形状からなるため、当該ブロック１００を前記円形孔内にスムースに進入させることができる。尚かつ、当該ブロック１００を埋設する際、地面を大きく掘り起こす必要がないので、当該地面（地盤）が相対的に柔らかくなってしまうことがなく、埋設されたブロック１００は充分な土圧を受けることができる。更に、オーガースクリュー２００を用いて地面に穿設した円形孔に円柱状のブロック１００を挿入したときに生じた多少の傾きを修正する必要がないので、当該ブロック１００の重量を前記円形孔の内周面に負担させた状態で付設できる。
【００１７】
また、傾斜調整凸部４０をブロック本体１０から突出させたドーム状に形成すると、ベースプレート２０に傾斜調整凸部４０を設けるのに比較して、容易かつ低コストで傾斜調整凸部４０を形成することできる。かかる構成を採用することにより、トッププレート２０の傾きにかかわらず、傾斜調整凸部４０との接触する面積を一定に保つことができる。
【００１８】
また、傾斜調整凸部４０として、ブロック本体上面から突出させた金属棒とすると、支柱による重さにも十分耐えうる突出部を形成することができる。また、金属棒として後述するボルト等を使用すれば、設置場所、設置する支柱に応じて容易に傾斜調整凸部４０の突出量を調整することができる。
【００１９】
さらに、請求項１に係る発明のブロック１００は、傾斜調整凸部４０として、ブロック本体１０の上面に形成される金属製のベースプレート２０を直接ドーム状に形成したものである。かかる構成を採ることによって、傾斜調整凸部４０自体の強度を十分に確保することができるとともに、トッププレートの傾きに対して接触する範囲を一定に保つことができ、トッププレートが比較的大きく傾斜しても安定して支柱を支持することができる。
【発明を実施するための最良の形態】
【００２０】
本発明の「支柱立設用コンクリートブロック１００」を実施するための最良の形態について説明する。
【００２１】
本発明に係る支柱立設用コンクリートブロック１００は、道路標識、カーブミラー、防護柵、街路灯等の支柱３０を設置するためのコンクリートブロック１００である。当該ブロック１００の本体の形状は限定するものではないが、好ましくは、角柱状、より好ましくは円柱形状に構成する。円柱状に構成するときに、その直径寸法を地面に対しオーガースクリュー２００にて穿設される円形孔の直径寸法よりも若干短い直径寸法に設けるとよい。かかる構成を採ることにより、当該ブロック１００を前記円形孔内にスムースに進入させることが可能となる。さらに、前記円形孔の内周面に対し密着できる程度の直径寸法を有すると好適である。かかる構成を採ることにより、地面（円形孔の内周面）に対し強く密着して充分な土圧を受け得ることとなり、且つ、ブロック１００を安定的に設置することが可能となる。また、当該ブロック１００の外周面と前記円形孔の内周面とを密着させ、隙間を少なくすることにより、当該隙間を埋めるために投入する砂やモルタルの量を抑えることができ、且つ、投入に要する作業時間を短縮させることも可能となる。
【００２２】
当該ブロック本体１０には、その上面から突出して設けられ、別部材に係る支柱のトッププレート６０に挿通される、少なくとも２本以上、好ましくは４本のアンカーボルト３０が埋設される。
【００２３】
傾斜調整凸部４０は、ブロック本体１０の略中央で上面より突出して形成され、かつアンカーボルトより低く突出形成されている。係る構成を満たしていれば、その形態は限定するものではない。例えば、ベースプレート２０の略中央に形成されたボルト孔にボルトをはめ込んで形成することもできる。かかる構成を採ることで、ボルトを回転させるだけで傾斜調整凸部４０の突出量を調整することができる。また、ブロック本体を作製するときに、ブロック本体の上面中央を突出するように形成しておいて、中央に大きな穴が形成されたベースプレート２０を上面に載置することによって、この孔から傾斜調整凸部が突出させてもよい。係る構成を採ることにより、ブロック本体を作製する型枠の突出形状を変更するだけで様々な形態の突出部を作製することができる。また、ベースプレート２０として金属を用いて作製し、このベースプレート２０自体の中心を湾曲させて、傾斜調整凸部を突出させてもよい。係る構成を採ることにより、傾斜調整凸部４０の表面をベースプレート２０で覆うことができ、より強固な傾斜調整凸部４０表面を形成でき、重量のある支柱でも十分に支持することができるようになる。また、該傾斜調整凸部４０を、ドーム状に形成することによって、後述するトッププレート６０をどの方向に傾斜させた場合であっても、ほぼ同様の接触面積を有することができ、トッププレート６０の傾き具合にかかわらず安定してトッププレート６０を固定することができる。また、故意にドーム先端をつぶすことにより、つぶされた部分は略平面となり、接触面積を増やすことができ、より安定してトッププレート６０を支持することができる。
【００２４】
トッププレート６０は、支柱に固定されている。トッププレートと支柱の固定方法は限定するものではないが、好ましくは溶接が用いられる。トッププレート６０には、前記アンカーボルト３０と適合する位置にアンカーボルト３０より大きな孔が穿設されており、該孔にアンカーボルト３０を挿通して傾斜調整凸部４０の上に配置される。そして、ナットでトッププレート６０を締め付けることによって、トッププレート６０を押圧して、傾斜調整凸部４０に固定する。このときに各々のナットの締め付け具合を調整することで、トッププレート６０の傾きを常に水平になるように調整することができる。
【００２５】
さらに、本発明に係る支柱立設用コンクリートブロック１００は、前記ブロック本体１０の少なくとも上端部に設けられ、アンカーボルト３０及び傾斜調整凸部４０を囲繞するプレート枠５０を有する。このプレート枠５０の素材は限定するものではないが、腐食を防止するため、腐食しづらい物質を用いることが好ましい。例えば亜鉛メッキされた鉄板等である。また、プレート枠５０の高さも限定するものではない。比較的低く設けて、トッププレート６０の下側のみに生コンクリートを打設できるようにすれば、トッププレート６０下面はコンクリートで占められるためトッププレート６０が傾くことを効果的に防止でき、一方で、ナットはコンクリート内に埋設されないので、支柱立設用コンクリートブロックが設置された後においても支柱を交換することができる。一方で、より、プレート枠５０を高く設けて、支柱を含めて生コンクリートを打設すれば、支柱をより安定して固定できるだけでなく、アンカーボルト３０、傾斜調整凸部４０、ベースプレート２０をコンクリート内に閉じこめることができ、錆等の腐食から効果的に守ることができる。
【００２６】
なお、本発明に係るブロック１００は、施工現場で型枠を用いてコンクリート打設する場合と、施工現場にプレキャスト製品を運び込む場合とを問わない。また、ブロック本体１０の大きさについては限定するものではなく、また縦、横及び高さの比率についても限定するものではない。また、円柱状に形成する場合には、地面に穿設される円形孔の内径よりも小径であって、充分な土圧を受けられる寸法・形状であればよい。即ち、円形孔の穿設に用いるオーガースクリュー２００の種類により、任意に変更されるべきものである。
【００２７】
また、最終的に生コンクリートをプレート枠内に打設する際には、打設コンクリートの上面としては水平面に設けてもよいが、支柱の近傍を最も高くし、その周囲を低く形成した傾斜面に設けるとよい。このような傾斜面とすれば、雨が降った場合においても、支柱や打設コンクリートの上面に降った雨水を周囲に流すことができ、錆等による腐食から支柱を守ることができる。
【実施例１】
【００２８】
以下、支柱立設用コンクリートブロック１００の最適な実施例について、図に沿って説明する。図１は実施例１に係る支柱立設用コンクリートブロック１００の断面図、図２は実施例１に係る支柱立設用コンクリートブロック１００の斜視図、図３は、実施例１に係る支柱立設用コンクリートブロック１００の平面図（説明の便宜上、ナットと傾斜調整凸部４０は省略している。）である。本実施例に係るブロック１００は、図２又は図３に示すように、そのブロック本体１０は円柱状をなしている。
【００２９】
このブロック本体１０には、アンカーボルト３０を上面から突出形成するように埋設してある。実施例１においては、アンカーボルト３０が容易にブロック本体から抜けないように、アンカーボルト３０の下端を折り曲げ、かつアンカーボルト３０の下端を固定用プレート７０で固定した後に、ブロック本体１０の内部に埋設してある。
【００３０】
ブロック本体１０の略中央には、ブロック本体１０をドーム状に突出して形成された傾斜調整凸部４０が設けられている。この傾斜調整凸部４０の上面に、アンカーボルト３０を通してトッププレート６０が設置されている。トッププレート６０は、アンカーボルト３０の位置と適合する位置に孔が設けられている。この孔は、トッププレートが適当に傾斜可能なようにアンカーボルト３０より若干大きい孔が形成されていて、傾斜調整凸部４０を支点にして傾斜可能となる。従って、トッププレート６０は、ナットの締め具合に応じてトッププレート６０を任意の傾き具合で固定することができる。さらに、ブロック本体１０の上端縁周囲には、プレート枠６０が設けられている。
【００３１】
図４はオーガースクリュー２００を用いて地面に円形孔を穿設する状態を示した図である。また、図５は地面に穿設された円形孔内にブロック１００を挿入しようとする状態を示した図、図６は地面に穿設された円形孔内へのブロック１００の挿入が完了した状態を示した図である。図７は円形孔内への挿入が完了したブロック１００の地中での状態を模式的に示した図である。図７は、ブロック側面が円形孔側面に接していない状態を図示しているが、それらが接触していてもかまわない。
【００３２】
ブロック本体１０を円形孔内に埋設する場合、垂直に設置するように細心の注意を払ったとしても、現実には、完全に垂直に埋設することは非常に困難であり、図７に示すように傾斜して設置される。従来であれば、この状態から垂直を出すために種々の作業が行われるのであるが、本実施例１の場合には、この状態で設置されたブロック本体１０の周囲を土砂で埋め戻し、ブロック本体１０を掘削部内に固定する。このようにブロック本体１０が傾斜して固定された場合であっても、ナットの締め具合を調整することにより、トッププレート６０の傾斜を調整し、トッププレート６０を水平に設置することができる。よって、ブロック本体１０の傾きにかかわらず、支柱を水平に設置することができる。勿論、ブロック本体１０の傾きが大きい場合に、ブロック本体１０できるだけ垂直に修正することを妨げるものではない。こうしてトッププレート６０を水平にした後、プレート枠５０内に生コンクリートを打設して、アンカーボルト３０、ベースプレート２０、ナット、トッププレート６０及びこれに固定された支柱をコンクリートで埋設して固定する。
【実施例２】
【００３３】
図８は、実施例２に係る支柱立設用コンクリートブロック１００の断面図を示す。実施例２が実施例１と異なる部分は、プレート枠５０が実施例１と比較して低く設けられている点である。それ以外の構成は実施例１と同様である。このようにプレート枠５０を低く設けたのは、最後にプレート枠５０内に生コンクリートを打設する際に、トッププレート６０の下側に生コンクリートを打設するのに最適であるからである。トッププレート６０下面はコンクリートで占められるためトッププレート６０が傾くことを効果的に防止し、一方で、ナットはコンクリート内に埋設されないので、支柱立設用コンクリートブロックが設置された後においても支柱を交換することができるのである。
【実施例３】
【００３４】
図９は実施例３に係る支柱立設用コンクリートブロック１００の断面図を示す。本実施例２にかかる支柱立設用コンクリートブロック１００は、ブロック本体１０の最上面に配置されるベースプレート２０自体をドーム状に形成し、傾斜調整凸部４０を形成したものである。このベースプレート２０は、金属製であることが望ましい。こうした構成を採ることにより、より大きな荷重に耐えうることができるようになり、より重量のある支柱を支持することができる。また、トッププレート６０の水平を出した後、ナットを強力な力で締め上げるとドーム状先端が少しつぶすことができる。このようにすることで、トッププレート６０とドームの先端の接触面積が増え、トッププレート６０をさらに安定させることができる。なお、支柱立設用コンクリートブロック１００のその他の構成及び設置方法については、実施例１と同様であるので、その説明は省略する。
【実施例４】
【００３５】
図１０は実施例４に係る立設用コンクリートブロック１００の断面図である。実施例４に係る支柱立設用コンクリートブロック１００は、ブロック本体１０の最上面に配置されるベースプレート２０の略中央に略螺合孔を設けて、該螺合孔に下面からボルトをねじ込むことによって、上面側にボルトの先端部を突出形成させて傾斜調整凸部４０としたものである。これにより、ブロック本体１０を作製する際にボルトによって先端の突出量を調整するだけで、傾斜突出凸部の高さを調整することができる。その他の構成及び設置方法については、実施例１と同様であるので、その説明は省略する。
【００３６】
なお、上記実施例はすべて、円柱形状のブロック本体を用いて説明しているが、これに限定されるものではなく、図１１に示した平面図のように四角柱であってもよいし、多角柱であってもよい。
【産業上の利用可能性】
【００３７】
本発明に係るコンクリートブロック１００は、道路標識、カーブミラー、防護柵、街路灯等の支柱３０を設置するため、地面に埋設する際に利用しうるものである。
【図面の簡単な説明】
【００３８】
【図１】実施例１に係る支柱立設用コンクリートブロック１００の断面図である。
【図２】実施例１に係る支柱立設用コンクリートブロック１００の斜視図である。
【図３】実施例１に係る支柱立設用コンクリートブロック１００の平面図である。
【図４】オーガースクリュー２００を用いて地面に円形孔を穿設する状態を示した図である。
【図５】地面に穿設された円形孔内にブロック１００を挿入しようとする状態を示した図である。
【図６】地面に穿設された円形孔内へのブロック１００の挿入が完了した状態を示した図である。
【図７】地面に穿設された孔にブロック１００を挿入した状態を示す図である。
【図８】実施例２に係る支柱立設用コンクリートブロック１００の断面図である。
【図９】実施例３に係る支柱立設用コンクリートブロック１００の断面図である。
【図１０】実施例４に係る支柱立設用コンクリートブロック１００の断面図である。
【図１１】別実施例における支柱立設用コンクリートブロック１００の平面図である。
【符号の説明】
【００３９】
１０      ブロック本体
２０      ベースプレート
３０      アンカーボルト
４０      傾斜調整凸部
５０      プレート枠
６０      トッププレート
７０      固定用プレート
１００    支柱立設用コンクリートブロック
【図１】
0004698661.tif 000002
【図２】
0004698661.tif 000003
【図３】
0004698661.tif 000004
【図４】
0004698661.tif 000005
【図５】
0004698661.tif 000006
【図６】
0004698661.tif 000007
【図７】
0004698661.tif 000008
【図８】
0004698661.tif 000009
【図９】
0004698661.tif 000010
【図１０】
0004698661.tif 000011
【図１１】
0004698661.tif 000012